(57)【要約】【課題】仕事着、遊び着等のＴＰＯのより合う衣服とすること、および安価にかつ容易にボタンを取り替えることができ、その取り替えたボタンの脱落を防止すること。【解決手段】複数のズボンのそれぞれに対応して異なる複数のボタンが用意され、その各ボタン３の脚部１０をブレザー１のボタン孔１５にその表面から挿通して、その挿通された脚部１０にボタン孔１５の裏面において留め具９を止めてブレザー１にボタン３を取り付ける。このようにすれば、各ボタン３が各ズボンに合うものであるため、一のブレザー１に対して、複数のズボンのコーディネートを行うことができ、さらに、その各コーディネートにおいて、それに合ったボタン３をブレザー１に取り付けることができるため、仕事着、遊び着等のＴＰＯに容易に合わせることができる。【選択図】図１
2008043352.tif 000002
【特許請求の範囲】
【請求項１】
ブレザー(1)と複数のズボンとからなり、前記ブレザー(1)は、前記複数の各ズボンに対応する異なる複数のボタン(3)の中から、着用する前記ズボンに対応するボタン(3)が取り付けられるものであり、前記複数の各ボタン(3)は、前記ブレザー(1)に形成されたボタン孔(15)にその表面から前記ボタン(3)の脚部(10)が挿通され、その挿通された脚部(10)内に前記ボタン孔(15)の裏面において留め具(9)が止められて、前記ブレザー(1)に前記各ボタン(3)が取り付けられる衣服。
【請求項２】
上記複数の各ボタンは、環状の脚部を有して、その脚部内に上記留め具が差し込まれるものであり、前記留め具(9)は、当て板(11)に弾性材からなる差し込み片(12)が前記当て板(11)に沿ってその一端で起伏可能に設けられたものであり、前記留め具(9)の差し込み片(12)が、前記ボタン(3)の脚部(10)内に差し込まれ、前記差し込み片(12)の弾性力により、前記脚部(10)が前記当て板(11)と前記差し込み片(12)との間に保持されるようにした請求項１に記載の衣服。
【請求項３】
ボタン本体(8)の裏面に環状の脚部(10)を有するボタン(3)と、前記ボタン本体(8)の脚部(10)内に差し込まれる留め具(9)とからなり、前記留め具(9)は、当て板(11)に弾性材からなる差し込み片(12)が前記当て板(11)に沿ってその一端で起伏可能に設けられたものであり、前記留め具(9)の差し込み片(12)が、前記ボタン(3)の脚部(10)内に差し込まれ、前記差し込み片(12)の弾性力により、前記脚部(10)が前記当て板(11)と前記差し込み片(12)との間に保持される替えボタン。
【発明の詳細な説明】
【技術分野】
【０００１】
この発明は、ブレザーと複数のズボンからなる衣服および、そのブレザーに取り付けられる替えボタンに関する。
【背景技術】
【０００２】
従来、ブレザーの前身ごろや袖口に取り付けられたボタンは、通常、糸を用いて縫い付けられている。このため、ボタンを縫い付ける糸が擦り切れて、ボタンが落ち、見失った場合には、新しいボタンに付け替える必要があった。その付け替えるボタンが、それまでに縫い付けていたボタンと同じものがあればよいが、同じボタンがなければ、ブレザーに残っているボタンを全て取り外し、新たに全部のボタンを付け替えなければならない。
【０００３】
上記ボタンは、ブレザーの所定の取り付け位置（前身ごろなど）に糸で縫い付けられているので、全部新たに付け替えるには、手間と時間（例えば、約１時間程度）がかかっていた。また、糸で縫い付けられたボタンは、ユーザーの要望に応じて容易に付け替えることが難しいという問題があった。
【０００４】
この問題を解決するために、ブレザーのボタン取り付け位置に、鳩目型留め具を固定した、ブレザーが提案されている（特許文献１、図１、図２参照）。
【特許文献１】実用新案登録第３０３９３１３号公報
【０００５】
このブレザー２０は、図６に示すように、その右前身ごろ２１や袖口３２のボタン取り付け位置の生地に開けられた孔に、鳩目型留め具２２が固定されたものである。その鳩目型留め具２２は、筒状のリベット２３を前身ごろなどの生地２１に形成した孔に挿通させ、そのリベット２３の両端部を所要の工具などで外向きに開くように折り返して生地２１の孔の周縁部に固定したものである。このように、固定された鳩目型留め具２２のリベット２３の孔を、ボタン孔２４としてブレザーのボタン取り付け位置に設けたものである。
【０００６】
上記鳩目型留め具２２のボタン孔２４には、図７に示すように、カフス型ボタン２５が取り付けられる。このカフス型ボタン２５は、ボタン本体２６の裏面から突き出す棒状の脚部２７にピン２８を介してストッパーピン２９を回転可能に設けたものである。このボタン本体２６の脚部２７をボタン孔２４に差し込み、ストッパーピン２９を脚部２７に対して直交する係止姿勢に回転する。これにより、容易にカフス型ボタン２５をブレザー２０に取り付け、このカフス型ボタン２５を、左前身ごろ３０のボタンホール３１に掛け合わせて、左右の前身ごろ２１、３０を留めることができる。
【発明の開示】
【発明が解決しようとする課題】
【０００７】
上記ブレザー２０は、カフス型ボタン２５をそのボタン孔２４に取付・取外しすることができるため、そのボタン２５を自由に付け替えることができる。このため、そのブレザーを仕事着、遊び着などの種々の用途に使用できる（特許文献１  段落００１２〜００１３）。
しかし、仕事着、遊び着等は、ブレザー（上着）のみによって異ならせる場合だけでなく、通常、ズボンも変えることによって、その用途によりマッチするものとなる。この考えは特許文献１には開示されていない。
【０００８】
また、上記ブレザーに取り付けられる、カフス型ボタン２５は、図７に示すように、ボタン本体２６の裏面から突き出す棒状の脚部２７に、ピン２８を介してストッパーピン２９が回転可能に取り付けられたものである。しかし、このカフス型ボタン２５は、抜け落ちないようにストッパーピン２９をボタン本体２６の脚部２７に対して直交する係止姿勢に保つ必要があるため、その構造が複雑となるので、その製造コストが高くなる。
【０００９】
さらに、上記カフス型ボタン２５は、袖口に取り付けるサイズのものは、通常、市販されているが、これを前身ごろに取り付けるにはサイズが小さく、新たにユーザーの好みに応じて付け替えようとすると、その付け替える分だけのボタンを用意する必要があるので、経済的負担が大きくなるという問題があった。
【００１０】
また、このカフス型ボタン２５は、使用中に、手や、体の動きによって激しく揺れたり、ストッパーピン２９が手や体に当たったりしたような時に、係止姿勢にあるストッパーピン２９が回転して非係止姿勢となって、ボタン孔２４から抜け出て紛失してしまうおそれがある。
【００１１】
そこで、この発明は、仕事着、遊び着等のＴＰＯのより合う衣服とすることを第１の課題とし、安価にかつ容易にボタンを取り替えることができ、その取り替えたボタンの脱落を防止することを第２の課題とする。
【課題を解決するための手段】
【００１２】
上記第１の課題を達成するために、この発明は、複数のズボンのそれぞれに対応して異なる複数のボタンが用意され、その各ボタンの脚部をブレザーのボタン孔にその表面から挿通して、その挿通された脚部にボタン孔の裏面において留め具を止めてブレザーにボタンを取り付けるようにしたのである。
【００１３】
このようにすれば、各ボタンが各ズボンに合うものであるため、一のブレザー（上着）に対して、複数のズボンのコーディネートを行うことができ、さらに、その各コーディネートにおいて、それに合ったボタンをブレザーに取り付けることができるため、仕事着、遊び着等のＴＰＯに容易に合わせることができる。
【００１４】
この発明の構成としては、ブレザーと複数のズボンとからなり、前記ブレザーは、前記複数の各ズボンに対応する異なる複数のボタンの中から、着用する前記ズボンに対応するボタンが取り付けられるものであり、前記複数の各ボタンは、ブレザーに形成されたボタン孔にその表面から脚部が挿通され、その挿通された脚部に前記ボタン孔の裏面において留め具が止められて、前記ブレザーに前記各ボタンが取り付けられる構成を採用することができる。
【００１５】
上記ボタンと留め具の構造としては、上記複数の各ボタンは、環状の脚部を有して、その脚部内に上記留め具が差し込まれるものであり、上記留め具は、当て板に弾性材からなる差し込み片が前記当て板に沿ってその一端で起伏可能に設けられたものであり、前記留め具の差し込み片が、前記ボタンの脚部内に差し込まれ、前記差し込み片の弾性力により、前記脚部が前記当て板と前記差し込み片との間に保持されるようにした構成を採用することができる。
【００１６】
この構成であれば、ボタンは、その脚部内に差し込まれた留め具によって脚部が保持され、ブレザーに取り付けられるので、ボタンの脱落を防止することができる。また、このボタンは、その脚部が環状であるため、糸を通して縫い付けていた環状の脚部を有する従来のボタンを使用すれば、新たにボタンを製作する必要がなくなり、ブレザーのボタンを安価に取り替えることができる。
【００１７】
また、留め具の差し込み片の弾性力により、ボタンの脚部が当て板と差し込み片との間に保持されるので、この差し込み片からボタンの脚部が外れにくくなり、ボタンの脱落を防止することができる。
【００１８】
この構成は、上記第２の課題を達成することができ、この構成の発明は、上記ブレザーと複数のズボンとからなる衣服に限らず、各種のブレザーのみの替えボタンとすることができる。
【００１９】
具体的には、本体の裏面に環状の脚部を有するボタンと、前記ボタン本体の脚部内に差し込まれる留め具とからなり、前記留め具は、当て板に弾性材からなる差し込み片が前記当て板に沿ってその一端で起伏可能に設けられたものであり、前記留め具の差し込み片が、前記ボタンの脚部内に差し込まれ、前記差し込み片の弾性力により、前記脚部が前記当て板と前記差し込み片との間に保持された構成を採用することができる。
【発明の効果】
【００２０】
以上のように構成した衣服に関する発明は、仕事着、遊び着等のＴＰＯに容易に合わせることができて、一の衣服の使用範囲を広げることができる。
【００２１】
また、以上のように構成したボタンに関する発明は、その環状の脚部が留め具の当て板と差し込み片との間に保持されるので、この差し込み片からボタンの脚部が外れにくくなり、ボタンの脱落を防止することができる。さらに、その脚部が環状のものであるため、従来の糸を通して縫い付けていた環状の脚部を有するボタンを使用すれば、新たにボタンを製作する必要がなくなり、ブレザーのボタンを安価に取り替えることができる。
【発明を実施するための最良の形態】
【００２２】
この発明の実施形態の衣服を図１〜図５に示す。
この実施形態の衣服は、図１に示すように、ブレザー１と複数のズボンとからなる。このブレザー１は、右前身ごろ２の前端部に所定数のボタン３、３が取り付けられ、左前身ごろ４には各ボタン３、３に対応する位置にそれぞれボタンホール５が設けられる。このボタンホール５にボタン３を掛け合わせて、左右前身ごろ２、４を留める。また、このブレザー１の左右の袖口６にも、それぞれ所定数の袖口ボタン７、７が取り付けられている。ここで、ブレザーとは、上着のことであり、スーツの上着を含むものとする。
【００２３】
前記ブレザー１は、その右前身ごろ２の前端部のボタン取り付け位置に、ボタン孔１５が形成され、このボタン孔１５に後述するボタン３の脚部１０が差し込まれる。この各ボタン孔１５は、丸穴の周縁をかがった穴かがりが施された菊穴仕様となっている。このように、穴かがりが施されることで、各ボタン孔１５周縁の生地のほつれを防ぐことができる。
【００２４】
このブレザー１の背裏地には、通気性の良好な清涼裏地、例えば、吸汗速乾糸を織製したクールキャッチ（登録商標）、ドビー組織（メッシュ）を使用することができる。また、袖裏地には、接触冷感の生地、例えば、東洋紡社製ＤＲＹＩＣＥ（登録商標）などを使用することができる。これらの裏地や生地を使用することにより、このブレザー１は、夏場でも涼しく着用することができるので、冷房の省エネルギーに寄与するとともに、クールビズに対応した付加価値の高いものとなる。
【００２５】
上記ブレザー１の右前身ごろ２に取り付けられるボタン３は、図２に示すように、ボタン本体８の裏面にＵ字状の脚部１０を有するものである。このボタン本体８は、図３（ａ）に示すように、表面にデザインが施され、表面が盛り上がった円盤型に形成されたものである。その裏面には、線材をＵ字状に折り曲げた脚部１０の両端部が固定される。このボタン本体８の裏面とＵ字状の脚部１０とにより環状部が形成され、この環状部に後述する留め具９の差し込み片１２を差し込んで、脚保持部１３で脚部１０を保持する。
【００２６】
上記ボタン本体８の材質として、金属製または、樹脂製を採用することができる。金属製であれば、例えば、表面にメッキ処理を施すことで、光沢を出すことができる。また、樹脂製であれば、図３（ｂ）〜（ｅ）に示すボタン本体８のように、その表面を種々の形状に成形ができる。これにより、複数の各ズボンに対応して、形状、材質など外観の異なる複数のボタン３を用意することができる。これらのボタン３は、各ズボンに対応する分だけでなく、１本のズボンに対して複数のボタン３を用意してもよい。これらの用意された複数のボタン３の中から、着用するズボンに対応したボタン３をブレザー１に取り付けることにより、例えば、ブレザー１と同素材のズボンと、または、ブレザー１と色違いのズボンとを着用することにより、４通りのコーディネートが可能となる。さらに、シャツ、ポロシャツ、ベストなどを組み合わせれば、クールビズ、ウォームビズに適したコーディネートをすることができる。
【００２７】
また、ブレザー１のボタン３を取り替えることによって、そのブレザー１をカジュアルにまたはビジネスにと、そのシーンに合わせて容易に使い分けすることができる。そのブレザー１が黒地の場合、そのボタン３を取り替えれば、レセプションやセレモニーなどのフォーマルな場のシーンに適したコーディネートが可能となる。
【００２８】
これらのボタン本体８の裏面に固定される脚部１０は、線材をＵ字状に折り曲げてその両端部を固定したもの（図３（ａ）参照）や、板片を折り曲げてその両端部を固定したもの（図３（ｂ）、（ｃ）参照）、線材をその一端を折り曲げて環状部を形成するとともに他端をボタン本体８の中央に貫通したものであってもよい（図３（ｄ）、（ｅ）参照）。また、線材または板材を輪状に形成した脚部１０をボタン本体８の裏面に固定するものであってもよい（図示省略）。要は、後述する留め具９の差し込み片１２を差し込むことのできる環状部を有するものであればよい。
【００２９】
上記ボタン本体８は、その裏面に環状の脚部１０を固定したものであるので、上述したカフス型ボタンのように構造が複雑にならず、製造コストを抑えることができる。また、糸を通して縫い付けていた従来の環状の脚部１０を有するボタンを使用すれば、新たにボタンを製作する必要がなくなり、ブレザー１のボタン３を安価に取り替えることができる。なお、このボタン３を新たに製作してもよい。新たに製作してもその構造がシンプルであるので製造コストを抑えることができる。
【００３０】
上記ボタン３の脚部１０内に差し込まれる留め具９は、図２に示すように、長円形の当て板１１と、その円弧部分から延びる弾性材を当て板１１に沿って折り曲げた差し込み片１２とから構成される。この差し込み片１２は、その一端の折り曲げ部を支点として起伏可能に設けられるとともに、当て板１１を押し付ける向きの弾性力を有する。ここで、長円形とは、矩形の一方の対向する２辺を外向きの半円弧とし、この各半円弧が他方の対向する２辺と連続する形状をいう。
【００３１】
この差し込み片１２には、当て板１１から突き出すように折り曲げられた脚保持部１３が設けられる。前記留め具９の差し込み片１２を前記ボタン３の脚部１０に差し込むと、この脚部１０を脚保持部１３と当て板１１との間で保持する（図５参照）。これにより、差し込み片１２からボタン３の脚部１０が外れにくくなり、ボタンの脱落を防止することができる。また、ボタン３は、その脚部１０を保持する留め具９の差し込み片１２を抜き挿しすることにより、容易に（ボタン１個当り３０秒〜１分）付け替えることができるので、ＴＰＯに合わせてブレザー１のボタン３の付け替えを容易に行なうことができる。
【００３２】
上記ブレザー１の袖口６に取り付けられる袖口ボタン７は、右前身ごろ２のボタン３と同様に、ボタン本体８の裏面に環状の脚部１０を有するものである。そのボタン本体８は、右前身ごろ２のボタン３のボタン本体８よりも一回り小さいサイズに形成されるとともに、右前身ごろ２のボタン３のボタン本体８と同じデザインが施されている。また、この袖口ボタン７を取り付ける際、ボタン３の留め具９を使用することができる。これにより、ボタン３およびボタン７を他のデザインを施したもの（形状のもの）に取り替えても、同じ留め具９を使用することができる。
【００３３】
この実施形態のブレザー１は、以上のように構成され、次にそのボタンの取り付け方法について説明する。
まず、ブレザー１の右前身ごろの前端部のボタン孔１５に、表側から上記ボタン本体８の脚部１０を差し込む。差し込まれたボタン本体８を支えながら、その脚部１０内にボタン孔１５の裏面において、留め具９の差し込み片１２を開いて差し込む。留め具９の差し込み片１２は、当て板１１を押し付ける向きの弾性力を有する。このため、留め具９の差し込み片１２をボタン本体８の脚部１０に差し込むと、図５に示すように、差し込み片１２の弾性力により、ボタン３の脚部１０が当て板１１と差し込み片１２の脚保持部１３との間に保持される。
【００３４】
一方、上記ボタン３を取り替えるには、留め具９の差し込み片１２を開いて、留め具９をボタン３の脚部１０から外し、ボタン３をボタン孔１５から抜き取る。その後、取り付けられていたボタン本体８のデザインと異なるデザインのものを上記取り付け方法で取り付ければよい。なお、ブレザー１の袖口６に袖口ボタン７を取り付けるには、上記右前身ごろ２のボタン３の取り付け方法と同じであり、袖口６に設けたボタン孔（図示省略）に、袖口ボタン７の環状の脚部１０を留め具９で保持する。
【００３５】
このように、ボタン３を、他のものに容易に付け替えることができるので、フォーマルな場や、カジュアルな場などのシーンに対応するボタンを選択して、そのボタンをブレザーに取り付ければ、そのシーンに合ったブレザーと、ズボンとを組み合わせた衣服をコーディネートすることができる。
【図面の簡単な説明】
【００３６】
【図１】実施形態のブレザーを示す正面図
【図２】同上のボタンを示す分解斜視図
【図３】（ａ）同上のボタン本体を示す斜視図、（ｂ）〜（ｅ）同上の他のボタン本体を示す斜視図
【図４】同上のブレザーにボタンを取り付ける前の状態を示す斜視図
【図５】同上のブレザーにボタンを取り付けた状態を示す断面図
【図６】従来のブレザーを示す正面図
【図７】同上のブレザーにボタンを取り付けた状態を示す断面図
【符号の説明】
【００３７】
１  ブレザー
２  右前身ごろ
３  ボタン
４  左前身ごろ
５  ボタンホール
６  袖口
７  袖口ボタン
８  ボタン本体
９  留め具
１０  脚部
１１  当て板
１２  差し込み片
１３  脚保持部
１５  ボタン孔
２０  ブレザー
２１  右前身ごろ
２２  鳩目型留め具
２３  リベット
２４  ボタン孔
２５  カフス型ボタン
２６  ボタン本体
２７  脚部
２８  ピン
２９  ストッパーピン
３０  左前身ごろ
３１  ボタンホール
３２  袖口
【図１】
2008043352.tif 000003
【図２】
2008043352.tif 000004
【図３】
2008043352.tif 000005
【図４】
2008043352.tif 000006
【図５】
2008043352.tif 000007
【図６】
2008043352.tif 000008
【図７】
2008043352.tif 000009